Podtech/llm-jp-corpus-v4-ja_patent huggingface dataset:
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
アルツハイマー病、認知症、アミロイドーシス関連疾患、または頭部外傷の治療のための医薬の調製における、治療有効量の第１の化合物、および治療有効量の第２の化合物を含む組み合わせの使用であって、
ａ）第１の化合物がＡβペプチド重合を阻害し、第２の化合物が抗炎症薬である、
ｂ）第１の化合物が抗炎症薬であり、第２の化合物が認識機能、気分、または社会的行動を改善する、
ｃ）第１の化合物がＡβペプチド重合を阻害し、第２の化合物が認識機能、気分、または社会的行動を改善する、
ｄ）第１の化合物が抗炎症薬であり、第２の化合物がタウまたはアルファ−シヌクレインと関連している、
ｅ）第１の化合物が抗炎症薬であり、第２の化合物がアミロイドペプチドのウオッシュアウトを規制する、
ｆ）第１の化合物、および第２の化合物がＡβペプチド重合を阻害する、
ｇ）第１の化合物、および第２の化合物が抗炎症薬である、
ｈ）第１の化合物、および第２の化合物が認識機能、気分、または社会的行動を改善する、
ｉ）第１の化合物、および第２の化合物がタウまたはアルファ−シヌクレインと関連している、または、
ｊ）第１の化合物、および第２の化合物がアミロイドペプチドのウオッシュアウトを規制する化合物、である使用。
【請求項２】
アルツハイマー病、認知症、アミロイドーシス関連疾患、または頭部外傷の進行を遅らせるための医薬の調製における、治療有効量の第１の化合物、および治療有効量の第２の化合物を含む組み合わせの使用であって、
ａ）第１の化合物がＡβペプチド重合を阻害し、第２の化合物が抗炎症薬である、
ｂ）第１の化合物が抗炎症薬であり、第２の化合物が認識機能、気分、または社会的行動を改善する、
ｃ）第１の化合物がＡβペプチド重合を阻害し、第２の化合物が認識機能、気分、または社会的行動を改善する、
ｄ）第１の化合物が抗炎症薬であり、第２の化合物がタウまたはアルファ−シヌクレインと関連している、
ｅ）第１の化合物が抗炎症薬であり、第２の化合物がアミロイドペプチドのウオッシュアウトを規制する、
ｆ）第１の化合物、および第２の化合物がＡβペプチド重合を阻害する、
ｇ）第１の化合物、および第２の化合物が抗炎症薬である、
ｈ）第１の化合物、および第２の化合物が認識機能、気分、または社会的行動を改善する、
ｉ）第１の化合物、および第２の化合物がタウまたはアルファ−シヌクレインと関連している、または、
ｊ）第１の化合物、および第２の化合物がアミロイドペプチドのウオッシュアウトを規制する化合物、である使用。
【請求項３】
Ａβペプチド重合を阻害する化合物が式Ｉ〜ＩＶのグループから選ばれる、請求項１または２に記載の使用であって、
【化１】
2015535249.tif 000001
【化２】
2015535249.tif 000002
【化３】
2015535249.tif 000003
【化４】
2015535249.tif 000004
Ｒ1、Ｒ2、Ｒ3、Ｒ4、Ｒ5、Ｒ6、Ｒ7、Ｒ8、Ｒ9、及びＲ10は、それぞれ独立して、水素、ハロゲン、アジド、アルキル、ハロアルキル、パーハロアルキル、フルオロアルキル、パーフルオロアルキル、アラルキル、アルケニル、アルキニル、シクロアルキル、ヘテロシクリル、アリール、ヘテロアリール、アラルキル、ヘテロアラルキル、ヒドロキシ、アルコキシ、アリロキシ、ヘテロアリロキシ、アラルキロキシ、ヘテロアラルキロキシ、アミノ、アルキルアミノ、アリルアミノ、アシルアミノ、ヘテルアリルアミノ、窒素、スルフヒドリル、イミノ、アミド、ホスフォネート、ホスフィネート、アシル、カルボキシル、オキシカルボニル、アシルオキシ、シリル、チオエーテル、スルホ、スルフォネート、スルホニル、スルフォンアミド、ホルミル、シアノ、イソシアノ、または−Ｙ−（ハロアルキルエン）−アルキル；
Ｒ7は、水素、ハロゲン、アジド、アルキル、ハロアルキル、パーハロアルキル、フルオロアルキル、パーフルオロアルキル、アラルキル、アルケニル、アルキニル、シクロアルキル、ヘテロシクリル、アリール、ヘテロアリール、アラルキル、ヘテロアラルキル、ヒドロキシ、アルコキシ、アリロキシ、ヘテロアリロキシ、アラルキロキシ、ヘテロアラルキロキシ、アミノ、アルキルアミノ、アリルアミノ、アシルアミノ、ヘテルアリルアミノ、窒素、スルフヒドリル、イミノ、アミド、ホスフォネート、ホスフィネート、アシル、カルボキシル、オキシカルボニル、アシルオキシ、シリル、チオエーテル、スルホ、スルフォネート、スルホニル、スルフォンアミド、ホルミル、シアノ、イソシアノ、−Ｙ−（ハロアルキルエン）−アルキル、または−Ｙ−（ハロアルキレン）−Ｒ；
ＲNは、水素、低級アルキル、または−（ハロアルキレン）−アルキル；
Ｙは、単結合、Ｎ（ＲN）、Ｏ、またはＳ；かつ
Ｒは
【化５】
2015535249.tif 000005
であり、Ｒ1、Ｒ2、Ｒ3、Ｒ4、Ｒ5、Ｒ6、Ｒ7、Ｒ8、Ｒ9、またはＲ10の少なくとも１つが、−Ｙ−（ハロアルキレン）−アルキル；であるかまたは、ＲNは−（ハロアルキレン）−アルキルである使用。
【請求項４】
Ａβペプチド重合を阻害する化合物が、
【化６】
2015535249.tif 000006
である、請求項３に記載の使用。
【請求項５】
Ａβペプチド重合を阻害する化合物が、
【化７】
2015535249.tif 000007
である、請求項３に記載の使用。
【請求項６】
Ａβペプチド重合を阻害する化合物が、
【化８】
2015535249.tif 000008
からなる群から選択される、請求項１または２に記載の使用。
【請求項７】
Ａβペプチド重合を阻害する化合物が、γ−セクレターゼ阻害剤、金属イオノフォア、スタチン、またはエンドカンナビノイドである、請求項１または２に記載の使用。
【請求項８】
抗炎症薬が、クロモリン、クロモリン誘導体、クロモリン類似体、オイゲノール、ネドクロミル、ペミロラスト、オロパタジン、アルファトキシンＧ1、アルファトキシンＢ1、アルファトキシンＭ1、デオキシニバレロール、ゼアラレノン、オクラトキシンＡ、フモニシンＢ1、加水分解フモニシンＢ1、パツリン、エルゴタミン、
【化９】
2015535249.tif 000009
からなる群から選ばれる、請求項１または２に記載の使用。
【請求項９】
抗炎症薬が、非ステロイド抗炎症薬（ＮＳＡＩＤ）である、請求項１または２に記載の使用。
【請求項１０】
抗炎症薬が、アセチルサリチル酸、ジフルニサル、サルサレート、イブプロフェン、デクスイブプロフェン、ナプロキセン、フェノプロフェン、ケトプロフェン、デクスケトプロフェン、フルルビプロフェン、オキサプロジン、ロキソプロフェン、インドメタシン、トルメチン、スリンダク、エトドラク、ケトロラク、ジクロフェナク、ナブメトン、ピロキシカム、メロキシカム、テノキシカム、ドロキシカム、ロルノキシカム、イソキシカム、メフェナム酸、メクロフェナム酸、フルフェナム酸、トルフェナム酸、セレコキシブ、リコフェロン、ハイパーフォリン、及びフィグワートからなる群から選ばれる、請求項９に記載の使用。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
ラキニモドアミン塩であって、ラキニモドメグルミン、ラキニモド水酸化コリン、ラキニモドＬ−リジン、またはラキニモドモノエタノールアミンであるラキニモドアミン塩。
【請求項２】
請求項１に記載のラキニモドアミン塩であって、前記ラキニモドアミン塩がラキニモドメグルミンであり、好ましくは、
ｉ．単離されたもの、
ｉｉ．図４Ａ、４Ｂおよび４Ｃに示したＤＳＣサーモグラムを特徴とするもの、
ｉｉｉ．６０〜７７ｐｐｍにブロードピーク、１２２〜１３４ｐｐｍにブロードピーク、１４２．２および１７１．３±０．２ｐｐｍにピークをもった１３Ｃ−ＮＭＲスペクトルを特徴とするもの、および／または
ｉｖ．図５Ａおよび５Ｂに示した固体１３Ｃ−ＮＭＲを特徴とするもの
であるラキニモドアミン塩。
【請求項３】
請求項１に記載のラキニモドアミン塩であって、前記ラキニモドアミン塩がラキニモド水酸化コリンであり、好ましくは、
ｉ．単離されたもの、
ｉｉ．図６Ａ、６Ｂ、６Ｃ、６Ｄおよび６Ｅに示したＤＳＣサーモグラムを特徴とするもの、
ｉｉｉ．１０．１°、１１．８°、１３．４°、１４．４°および１６．１°の２θ±０．２に特性ピークをもった粉末ＸＲＤパターンを特徴とするもの、
ｉｖ．１９．３°、２１．２°、２２．７°、２４．８°および２７．６°の２θ±０．２に特性ピークをもった粉末ＸＲＤパターンを特徴とするもの、
ｖ．図７および図８に示した粉末ＸＲＤパターンを特徴とするもの、
ｖｉ．約１２２．１、１２７．２、１４２．７および１６９．７±０．２ｐｐｍにピークをもった１３Ｃ−ＮＭＲスペクトルを特徴とするもの、
ｖｉｉ．１００〜１８０ｐｐｍのケミカルシフト範囲において最も低いケミカルシフトを示す信号ともう一つのケミカルシフトの間に、約１２．６、１７．７、３３．２、６０．２および±０．１ｐｐｍのケミカルシフト差を有する固体１３Ｃ−ＮＭＲスペクトルを特徴とするもの、
ｖｉｉｉ．図９Ａおよび９Ｂに示した固体１３Ｃ−ＮＭＲスペクトルを特徴とするもの、および／または
ｉｘ．結晶形態または非晶質形態にあるもの
であるラキニモドアミン塩。
【請求項４】
請求項１に記載のラキニモドアミン塩であって、前記ラキニモドアミン塩がラキニモドＬ−リジンであり、好ましくは、
ｉ．単離されたもの、
ｉｉ．図１０Ａ、１０Ｂおよび１０Ｃに示したＤＳＣサーモグラムを特徴とするもの、
ｉｉｉ．５．６°、  ９．０°、１１．７°、１３．０°および１５．９°の２θ±０．２に特性ピークをもった粉末ＸＲＤパターンを特徴とするもの、
ｉｖ．１７．９°、１８．９°、２１．１°、２２．５°および２３．０°の２θ±０．２に特性ピークをもった粉末ＸＲＤパターンを特徴とするもの、
ｖ．図１１に示した粉末ＸＲＤパターンを特徴とするもの、および／または
ｖｉ．結晶形態または非晶質形態にあるもの
であるラキニモドアミン塩。
【請求項５】
請求項１に記載のラキニモドアミン塩であって、前記ラキニモドアミン塩がラキニモドモノエタノールアミンであり、好ましくは、
ｉ．単離されたもの、
ｉｉ．図１２Ａに示したＤＳＣサーモグラムを特徴とするもの、
ｉｉｉ．６．５°、１４．４°、１７．９°、１８．７°および２０．６°の２θ±０．２に特性ピークをもった粉末ＸＲＤパターンを特徴とするもの、
ｉｖ．１７．１°、１９．４°、２２．３°、２３．３°および２４．８°の２θ±０．２に特性ピークをもった粉末ＸＲＤパターンを特徴とするもの、
ｖ．図１３に示した粉末ＸＲＤパターンを特徴とするもの、
ｖｉ．図１２Ｂに示したＤＳＣサーモグラムを特徴とするもの、
ｖｉｉ．８．２°、９．８、１１．２°、１３．２°および１７．９°の２θ±０．２に特性ピークをもった粉末ＸＲＤパターンを特徴とするもの、
ｖｉｉｉ．１８．６°、２０．４°、２２．９°、２４．３°および２６．２°の２θ±０．２に特性ピークをもった粉末ＸＲＤパターンを特徴とするもの、
ｉｘ．図１４に示した粉末ＸＲＤパターンを特徴とするもの、および／または
ｘ．結晶形態または非晶質形態にあるもの
であるラキニモドアミン塩。
【請求項６】
請求項１〜５の何れか１項に記載のラキニモドアミン塩と、少なくとも一つの医薬的に許容可能な賦形剤を含有してなる医薬組成物。
【請求項７】
請求項６に記載の医薬組成物あって、更にラキニモド酸を含有し、好ましくは、前記ラキニモド酸は、当該医薬組成物の全ラキニモド含量に基づいて１．５％未満の量で存在する医薬組成物。
【請求項８】
請求項６に記載の医薬組成物あって、ラキニモド酸を含まない医薬組成物。
【請求項９】
請求項６〜８の何れか１項に記載の医薬組成物あって、更にラキニモドのナトリウム塩を含有し、またはラキニモドのナトリウム塩を含有しない医薬組成物。
【請求項１０】
請求項１〜９の何れか１項に記載のラキニモドアミン塩の製造方法であって：
ａ）アミンの溶液にラキニモド酸を混合して、第一の混合物を形成することと；
ｂ）該第一の混合物に溶媒を加えて、第二の混合物を形成することと；
ｃ）該第二の混合物から液体を除去することと；
ｄ）前記ラキニモドアミンを回収すること
を含んでなる方法。
【請求項１１】
請求項１０に記載の方法であって、前記アミンは、メグルミン、水酸化コリン、Ｌ−リジンおよびモノエタノールアミンからなる群から選択される方法。
【請求項１２】
請求項１０および１１に記載の方法であって、工程ｂ）において加えられる溶媒は、アセトン、メタノール、エタノールおよびジオキサンからなる群またはそれらの混合物から選択され、また工程ｃ）において、前記液体は周囲温度および減圧において除去される方法。
【請求項１３】
請求項６〜９の何れか１項に記載の医薬組成物の製造方法であって：
ａ）ラキニモドアミン塩を得ることと；
ｂ）該ラキニモドアミン塩に対して、少なくとも一つの医薬的に許容可能な賦形剤を混合すること
を含んでなる方法。
【請求項１４】
或る形態の多発性硬化症または臨床的に摘出された症候群に罹患した被験者を治療することにおいて使用するための、請求項６〜９の何れか１項に記載の医薬組成物。
【請求項１５】
或る形態の多発性硬化症に罹患した被験者における多発性硬化症の病徴を緩和することにおいて使用するための、請求項６〜９の何れか１項に記載の医薬組成物。
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
腎臓に障害のある対象において、癌の一又は二以上の症状を治療、予防、又は管理する方法であり、当該対象に治療有効量のポマリドミドを投与することを含み、ここで、当該治療有効量は、腎臓に障害のない対象に投与される量よりも少ない量である、前記方法。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
ミラクルフルーツ漿果の皮、パルプ、または種子の少なくとも１つからの抽出物を組成物中の活性成分として含む、局所医薬または化粧品組成物。
【請求項２】
前記抽出物が、前記ミラクルフルーツ漿果の皮、パルプまたは前記種子の脂質含有抽出物を含む、請求項１に記載の局所組成物。
【請求項３】
少なくとも１つの薬学的にもしくは化粧品として許容される添加剤、賦形剤、または担体をさらに含む、請求項１に記載の局所組成物。
【請求項４】
ローション、ゲル、液体、油、フォーム、ペースト、スプレー、クリーム、軟膏、またはエマルジョンの少なくとも１つとして処方される、請求項１に記載の局所組成物。
【請求項５】
前記抽出物が、約４３重量％〜約４６重量％のパルミチン酸、約３２重量％〜約３４重量％のオレイン酸、および約１８重量％〜約２１重量％のリノール酸を含む、請求項１に記載の局所組成物。
【請求項６】
前記抽出物が、約５重量％〜約７重量％のステアリン酸と約１重量％〜約２重量％のミリスチン酸とをさらに含む、請求項５に記載の局所組成物。
【請求項７】
前記抽出物が、少なくとも１つの炭化水素、トリテルペンアルコール、低分子量アルコール、またはステロールをさらに含む、請求項６に記載の局所組成物。
【請求項８】
約０．０１重量％〜約９８重量％の前記抽出物を含む、請求項１に記載の局所組成物。
【請求項９】
前記抽出物が約９８％純粋である、請求項１に記載の局所組成物。
【請求項１０】
前記抽出物が、抗菌、抗炎症、再生、潤滑、および殺精子から選択される少なくとも１つの特性を含む、請求項１に記載の局所組成物。
【請求項１１】
前記組成物が、皮膚、粘膜、毛髪、爪、もしくは関節を冒す状態もしくは障害を治療、予防および／または改善する医薬もしくは化粧品として処方される、請求項１に記載の局所組成物。
【請求項１２】
前記組成物が、細菌感染症；真菌感染症、ウイルス感染症；毛髪、皮膚、粘膜もしくは爪の乾燥もしくは脆弱性；毛髪に影響を及ぼす物理的もしくは化学的モダリティーに起因する枝毛もしくは切毛；皮膚の皴もしくは老化；皮膚の望ましくない色素沈着；関節炎；アトピー性皮膚炎；乾癬；ざ瘡；酒さ；脂漏性皮膚炎；ふけを伴う脂漏性皮膚炎；関節の硬直、痛み、もしくは疼痛；手根管症候群；創傷または瘢痕形成；紫外線に起因する皮膚損傷；筋力低下もしくは筋肉疲労；精子を殺すこと；関節可動性、強度、安定性、耐久性および柔軟性の少なくとも１つを向上させること、手指の器用さおよび柔軟性を向上させること；握力強度および着実性を増強すること；または筋肉疲労を軽減して手指の関節可動性および耐久性を向上させること
の少なくとも１つを処置するために処方される、請求項１に記載の局所組成物。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
TNFR:Fc融合プロテインおよびリン酸塩−クエン酸塩バッファを含む安定な医薬組成物。
【請求項２】
TNFR:Fc融合プロテイン、リン酸塩−クエン酸塩バッファ、ならびにＬ−グリシン、ウレアおよび２−ヒドロキシプロピルβ−シクロデキストリン（HPBCD）からなる群から選択される抗凝集剤を含む安定な医薬組成物。
【請求項３】
組成物のｐＨが５〜７の範囲内にある、請求項１または２に記載の組成物。
【請求項４】
TNFR:Fc融合プロテインがエタネルセプトである、請求項１〜３のいずれかに記載の組成物。
【請求項５】
TNFR:Fc融合プロテイン；リン酸塩−クエン酸塩バッファ；Ｌ−グリシン、ウレアおよび２−ヒドロキシプロピルβ−シクロデキストリン（HPBCD）から選択される抗凝集剤；等張化剤ならびに安定化剤を含む、安定な医薬組成物。
【請求項６】
等張化剤が、塩化ナトリウム、塩化カリウム、塩化カルシウムからなる塩のグループ、マンニトール、スクロース、グルコースからなるサッカライドのグループ、およびアミノ酸類から選択される、請求項５に記載の組成物。
【請求項７】
安定化剤がスクロースおよびトレハロースからなる群から選択される、請求項５に記載の組成物。
【請求項８】
エタネルセプト、リン酸塩−クエン酸塩バッファ、抗凝集剤としてのＬ−グリシン、等張化剤としての塩化ナトリウムおよび安定化剤としてのスクロースを含む、請求項５に記載の安定な医薬組成物。
【請求項９】
エタネルセプト、リン酸塩−クエン酸塩バッファ、抗凝集剤としてのウレア、等張化剤としての塩化ナトリウム、安定化剤としてのスクロースおよびキレート剤としてのＥＤＴＡを含む、請求項５に記載の安定な医薬組成物。
【請求項１０】
エタネルセプト、リン酸塩−クエン酸塩バッファ、抗凝集剤としてのＨＰＢＣＤ、等張化剤としての塩化ナトリウム、安定化剤としてのスクロースおよびキレート剤としてのＥＤＴＡを含む、請求項５に記載の安定な医薬組成物。
【請求項１１】
組成物が無菌化されて非経口投与用に用意されている、請求項１〜１０のいずれかに記載の組成物。
【請求項１２】
組成物が液状である、請求項１１に記載の組成物。
【請求項１３】
組成物が凍結乾燥されている、請求項１１に記載の組成物。
【請求項１４】
10 mg/ml 〜 100 mg/ml のエタネルセプト、約10 mM 〜 100 mM のリン酸塩−クエン酸塩バッファ、約10 mM 〜 300 mM のＬ−グリシン、約 0 mM 〜 150 mM の塩化ナトリウムおよび約 0.5 重量% 〜 10重量% のスクロースを含む、請求項８に記載の医薬組成物。
【請求項１５】
10 mg/ml 〜 100 mg/ml のエタネルセプト、約10 mM 〜 100 mM のリン酸塩−クエン酸塩バッファ、約1 mg/ml 〜 18 mg/ml のウレア、約1 mM 〜 150 mM の塩化ナトリウム、約 0.5 重量% 〜 2 重量% のスクロースおよび約 0mM 〜 10 mM のEDTAを含む、請求項９に記載の医薬組成物。
【請求項１６】
10 mg/ml 〜 100 mg/ml のエタネルセプト、約10 mM 〜 100 mM のリン酸塩−クエン酸塩バッファ、約 20 mg/ml 〜 30 mg/ml のHPBCD、約 1 mM 〜 150 mM の塩化ナトリウム、約 0.5 重量% 〜 2 重量% のスクロースおよび約0 mM 〜 10 mM のEDTAを含む、請求項１０に記載の医薬組成物。
【請求項１７】
請求項１〜１６のいずれかに記載の組成物および該組成物の使用指示書を含むキット。
【請求項１８】
組成物が液状または凍結乾燥粉末である、請求項１７に記載のキット。
【請求項１９】
組成物が充填用無菌シリンジまたはバイアルまたはカートリッジ中に保管されている、請求項１７に記載のキット。
【請求項２０】
請求項１〜１６のいずれかに記載の医薬組成物の治療有効量を投与することを含む、治療が必要な哺乳動物(ヒトを除く)の治療方法。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
アポリポタンパク質、脂質、及び凍結乾燥安定剤を含む再構成された高密度リポタンパク質（ｒＨＤＬ）製剤であって、ここでアポリポタンパク質と脂質との間の比は約１：２０〜約１：１２０（ｍｏｌ：ｍｏｌ）であり、凍結乾燥安定剤はｒＨＤＬ製剤の約１．０％から６．０％未満（質量／質量）の濃度で存在するスクロースを含み、そして凍結乾燥安定剤はｒＨＤＬ製剤の約１．０％から６．０％未満（質量／質量）の総濃度で存在する、上記ｒＨＤＬ製剤。
【請求項２】
アポリポタンパク質と凍結乾燥安定剤との間の比が約１：１〜約１：３（質量：質量）である、請求項１に記載のｒＨＤＬ製剤。
【請求項３】
凍結乾燥安定剤が約４．０〜５．５％（質量／質量）の濃度で存在する、請求項１又は２に記載のｒＨＤＬ製剤。
【請求項４】
製剤が界面活性剤をさらに含む、請求項１〜３のいずれか１項に記載のｒＨＤＬ製剤。
【請求項５】
界面活性剤がコール酸ナトリウムを含む、請求項４に記載のｒＨＤＬ製剤。
【請求項６】
アポリポタンパク質と脂質との間の比が約１：２０〜約１：１００（ｍｏｌ：ｍｏｌ）である、請求項１〜５のいずれか１項に記載のｒＨＤＬ製剤。
【請求項７】
アポリポタンパク質の濃度が約５〜約５０ｍｇ／ｍｌである、請求項１〜６のいずれか１項に記載のｒＨＤＬ製剤。
【請求項８】
アポリポタンパク質がアポリポタンパク質Ａ−Ｉ（アポＡ−Ｉ）を含む、請求項１〜７のいずれか１項に記載のｒＨＤＬ製剤。
【請求項９】
アポＡ−Ｉが、血漿から精製されるアポＡ−Ｉ及び組み換えアポＡ−Ｉからなる群から選択される、請求項８に記載のｒＨＤＬ製剤。
【請求項１０】
アポＡ−Ｉが、野生型又はＭｉｌａｎｏアポＡ−Ｉ配列を含む、請求項９に記載のｒＨＤＬ製剤。
【請求項１１】
脂質が、少なくとも１つの荷電した、もしくは無荷電のリン脂質又はそれらの混合物を含む、請求項１〜１０のいずれか１項に記載のｒＨＤＬ製剤。
【請求項１２】
脂質が、ホスファチジルコリンを含む、請求項１１に記載のｒＨＤＬ製剤。
【請求項１３】
アポリポタンパク質が血漿から精製されたアポＡ−Ｉであり、脂質がホスファチジルコリンであり、凍結乾燥安定剤がスクロースであり、かつ製剤がコール酸ナトリウム界面活性剤をさらに含む、請求項１〜１２のいずれか１項に記載のｒＨＤＬ製剤。
【請求項１４】
アポリポタンパク質と脂質の間の比が、１：４５〜１：６５（ｍｏｌ：ｍｏｌ）であり；凍結乾燥安定剤が４．６〜４．８％（質量／質量）の濃度で存在し；かつコール酸ナトリウムが０．５〜１．５ｍｇ／ｍＬの濃度で存在する、請求項１３に記載のｒＨＤＬ製剤。
【請求項１５】
製剤が６〜８の範囲のｐＨを有する、請求項１〜１４のいずれか１項に記載のｒＨＤＬ製剤。
【請求項１６】
製剤が凍結乾燥されている、請求項１〜１５のいずれか１項に記載のｒＨＤＬ製剤。
【請求項１７】
アポリポタンパク質、脂質、及びスクロースを含む凍結乾燥安定剤を組み合わせる工程を含む、ｒＨＤＬ製剤の製造方法であって、アポリポタンパク質と脂質との間の比は１：２０〜１：１２０（ｍｏｌ：ｍｏｌ）であり、スクロースは製剤の約１．０％から６．０％未満（質量／質量）の濃度で存在し、そして凍結乾燥安定剤はｒＨＤＬ製剤の約１．０％から６．０％未満（質量／質量）の総濃度で存在する、上記方法。
【請求項１８】
それを必要としているヒトにおける、心血管疾患、高コレステロール血症及び低コレステロール血症からなる群から選択される、疾患、障害又は状態を処置するための方法であって、前記ヒトに請求項１〜１６のいずれか１項に記載のｒＨＤＬ製剤を投与することを含む、上記方法。
【請求項１９】
疾患、障害又は状態が、急性冠症候群（ＡＣＳ）、アテローム性動脈硬化症、狭心症及び心筋梗塞からなる群から選択される、請求項１８に記載の方法。
【請求項２０】
製剤が、非経口投与に適している、請求項１〜１６のいずれか１項に記載のｒＨＤＬ製剤。
【請求項２１】
製剤が、静脈内投与に適している、請求項１〜１６のいずれか１項に記載のｒＨＤＬ製剤。
【請求項２２】
アポリポタンパク質と凍結乾燥安定剤との間の比が約１：１〜約１：２．４（質量：質量）である、請求項１又は２に記載のｒＨＤＬ製剤。
【請求項２３】
アポリポタンパク質と凍結乾燥安定剤との間の比が約１：１から１：２（質量：質量）未満である、請求項２１に記載のｒＨＤＬ製剤。
【請求項２４】
凍結乾燥安定剤が４．３〜５．３％（質量／質量）の濃度で存在する、請求項１〜３のいずれか１項に記載のｒＨＤＬ製剤。
【請求項２５】
凍結乾燥安定剤が４．６〜４．８％（質量／質量）の濃度で存在する、請求項２３に記載のｒＨＤＬ製剤。
【手続補正書】
【提出日】平成28年10月17日(2016.10.17)
【手続補正１】
【補正対象書類名】特許請求の範囲
【補正対象項目名】請求項１５
【補正方法】変更
【補正の内容】
【請求項１５】
眼疾患、気道疾患、耳鼻咽喉疾患、腸疾患、皮膚疾患、心血管及び他の血管の疾患、炎症性疾患、神経障害及びCNS障害、増殖性疾患、腎疾患、性機能障害、骨疾患、良性前立腺過形成、移植片拒絶反応、痙攣、慢性閉塞性膀胱疾患、及びアレルギーを含む群から選択される少なくとも1つの疾患又は障害の予防剤及び／又は治療剤であって、それを必要とする対象に治療的有効量の請求項1〜10のいずれか一項に記載の化合物又は請求項11に記載の組成物を投与することを含む、剤。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
構造：
【化１】
2015535256.tif 000001
2015535256.tif 000002
を有する化合物；または医薬として許容されるこの塩。
【請求項２】
構造：
【化２】
2015535256.tif 000003
を有する化合物または医薬として許容されるこの塩。
【請求項３】
有効量の請求項１または２に記載の化合物または医薬として許容されるこの化合物の塩、および医薬として許容される担体またはビヒクルを含む、組成物。
【請求項４】
請求項１または２に記載の化合物または医薬として許容されるこの化合物の塩を含有する、網膜変性疾患の治療のための組成物。
【請求項５】
網膜変性疾患が、網膜色素変性、レーバー先天性黒内障、症候性網膜変性、加齢性黄斑変性またはアッシャー症候群である、請求項４に記載の組成物。
【請求項６】
アッシャー症候群が、アッシャーＩ症候群、アッシャーＩＩ症候群またはアッシャーＩＩＩ症候群である、請求項５に記載の組成物。
【請求項７】
網膜変性疾患が、アッシャーＩＩＩ症候群である、請求項４に記載の組成物。
【請求項８】
請求項１または２に記載の化合物または医薬として許容されるこの化合物の塩を含有する、アッシャー症候群に伴う聴力損失の治療のための組成物。
【請求項９】
アッシャー症候群が、アッシャーＩ症候群、アッシャーＩＩ症候群またはアッシャーＩＩＩ症候群である、請求項８に記載の組成物。
【請求項１０】
アッシャー症候群が、アッシャーＩＩＩ症候群である、請求項８に記載の組成物。
【請求項１１】
網膜変性疾患の治療のための医薬の製造における、請求項１または２に記載の化合物または医薬として許容されるこの化合物の塩の使用。
【請求項１２】
網膜変性疾患が、網膜色素変性、レーバー先天性黒内障、症候性網膜変性、加齢性黄斑変性またはアッシャー症候群である、請求項１１に記載の使用。
【請求項１３】
アッシャー症候群が、アッシャーＩ症候群、アッシャーＩＩ症候群またはアッシャーＩＩＩ症候群である、請求項１２に記載の使用。
【請求項１４】
網膜変性疾患が、アッシャーＩＩＩ症候群である、請求項１２に記載の使用。
【請求項１５】
アッシャー症候群に伴う聴力損失の治療のための医薬の製造における、請求項１または２に記載の化合物または医薬として許容されるこの化合物の塩の使用。
【請求項１６】
アッシャー症候群が、アッシャーＩ症候群、アッシャーＩＩ症候群またはアッシャーＩＩＩ症候群である、請求項１５に記載の使用。
【請求項１７】
アッシャー症候群が、アッシャーＩＩＩ症候群である、請求項１５に記載の使用。
【手続補正書】
【提出日】平成28年10月19日(2016.10.19)
【手続補正１】
【補正対象書類名】特許請求の範囲
【補正対象項目名】全文
【補正方法】変更
【補正の内容】
【特許請求の範囲】
【請求項１】
式（Ｉ）の化合物
【化１】
2015535225.tif 000001
［式中：
Ｒ１、Ｒ２およびＲ３はそれぞれ、独立してハロゲン、Ｒ５Ｏ（ＣＨ２）ｑ、Ｒ５Ｓ（ＣＨ２）ｑ、Ｒ６Ｒ７Ｎ（ＣＨ２）ｑ、ＣＮ（ＣＨ２）ｑ、Ｃ１−Ｃ６アルキル、Ｃ２−Ｃ６アルケニル、Ｃ２−Ｃ６アルキニル、およびＣ３−Ｃ６シクロアルキルから選択され；それらのアルキル、アルケニル、アルキニルおよびシクロアルキルは所望により少なくとも１個のハロゲンで置換されていてもよく；
Ｒ４はそれぞれ、独立してハロゲン、Ｃ１−Ｃ６アルキル、Ｃ２−Ｃ６アルケニル、Ｃ２−Ｃ６アルキニル、およびＣ３−Ｃ６シクロアルキルから選択され；それらのアルキル、アルケニル、アルキニルおよびシクロアルキルは所望により少なくとも１個のハロゲンで置換されていてもよく；
Ｒ５はそれぞれ、独立してＨ、Ｃ１−Ｃ６アルキル、Ｃ２−Ｃ６アルケニル、Ｃ２−Ｃ６アルキニル、およびＣ３−Ｃ６シクロアルキルから選択され；それらのアルキル、アルケニル、アルキニルおよびシクロアルキルは所望により少なくとも１個のハロゲンで置換されていてもよく；
Ｒ６およびＲ７はそれぞれ、独立してＨ、Ｃ１−Ｃ６アルキル、Ｃ２−Ｃ６アルケニル、Ｃ２−Ｃ６アルキニル、およびＣ３−Ｃ６シクロアルキルから選択され；それらのアルキル、アルケニル、アルキニルおよびシクロアルキルは所望により少なくとも１個のハロゲンで置換されていてもよく；
Ｘは、ＮＨ、ＣＨ２またはＣ（Ｏ）であり；
Ｙは、ＮＨ；ＣＨ２またはＣ（Ｏ）であり；
ｍは、０から５までの整数であり；
ｎは、０から５までの整数であり；
ｐは、０から４までの整数であり；そして、
ｑは、０から３までの整数である］
またはその医薬的に許容できる塩を含有する医薬であって、
内分泌障害、心血管障害、呼吸器障害、代謝障害、皮膚障害、骨障害、神経炎症性および／または神経変性性の障害、腎疾患、生殖障害、眼および／または水晶体を冒す疾患、ならびに／あるいは内耳を冒す状態、炎症性障害、肝疾患、痛み、癌、たとえば肺癌、アレルギー性障害、外傷性障害、敗血症性、出血性およびアナフィラキシー性のショック、胃腸系の疾患または障害、血管新生、血管新生依存性状態、肺感染症、急性肺傷害、肺動脈性高血圧症、閉塞性肺障害、ならびに線維性肺疾患から選択される、ニコチンアミドアデニンジヌクレオチドリン酸オキシダーゼに関連する状態または障害の処置に使用するための前記医薬。
【請求項２】
Ｒ１はそれぞれ、独立してハロゲンおよびＣ１−Ｃ６アルキルから選択され、そのアルキルは所望により少なくとも１個のハロゲンで置換されていてもよく；
Ｒ２はそれぞれ、独立してハロゲンおよびＲ５Ｏから選択され；
Ｒ３はＮＨ２であり；
Ｒ５はＣ１−Ｃ６アルキルであり；
ＸはＮＨであり；
ＹはＣＨ２であり；
ｍは０から２までの整数であり；
ｎは０または１であり；
ｐは０である、
請求項１に記載の化合物またはその医薬的に許容できる塩を含む、請求項１に記載の状態または障害の処置に使用するための医薬。
【請求項３】
Ｎ２−（３，４−ジメチルフェニル）−６−（（４−（３−メトキシフェニル）ピペラジン−１−イル）メチル）−１，３，５−トリアジン−２，４−ジアミン；
Ｎ２−（３−クロロ−４−メチルフェニル）−６−（（４−（３−メトキシフェニル）ピペラジン−１−イル）メチル）−１，３，５−トリアジン−２，４−ジアミン；
６−（（４−フェニルピペラジン−１−イル）メチル）−Ｎ２−（ｐ−トリル）−１，３，５−トリアジン−２，４−ジアミン；
Ｎ２−フェニル−６−（（４−フェニルピペラジン−１−イル）メチル）−１，３，５−トリアジン−２，４−ジアミン；および
６−（（４−（４−フルオロフェニル）ピペラジン−１−イル）メチル）−Ｎ２−フェニル−１，３，５−トリアジン−２，４−ジアミン
から選択される、請求項１に記載の化合物またはその医薬的に許容できる塩を含む、請求項１に記載の状態または障害の処置に使用するための医薬。
【請求項４】
障害または状態が、糖尿病、発作および肺線維症から選択される、請求項１〜３のいずれか１項に記載の医薬。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
内燃機関のためのピストンアセンブリであって、
上側燃焼壁を有するピストンヘッドを備え、下側冠面およびリングベルト領域が前記上側燃焼壁から垂下し、前記ピストンヘッドはさらに、上面および底面を有する床を有し、前記床は、前記リングベルト領域と径方向に整列されて前記上側燃焼壁の下方に離間され、実質的に囲まれた環状の冷却空洞が前記下側冠面および前記床と境界を接し、前記冷却空洞は、前記リングベルト領域から径方向内側に延在し、前記ピストンアセンブリはさらに、
前記冷却空洞の前記床から直接垂下する一対のピンボアと、
前記ピンボア内に振動収容されるように構成された端部を有するピンと、
前記床の前記下面内の前記ピンボア内および前記ピンボア間に延在するピン軸受面と、
前記ピンと連帯振動するように前記ピンに固定された端部を有する接続ロッドとを備え、
前記ピストンヘッドは頂部および底部を含み、前記頂部は、前記上側燃焼面から垂下する環状の第１の上接合面と、前記ピストンの中心長手軸に沿って前記上側燃焼面から垂下する第２の接合面とを有し、前記底部は、前記床から上方に延在する環状下接合面を含み、前記下接合面は、第１の接合継手において前記第１の上接合面に結合され、前記床の上面は、第２の接合継手において前記第２の接合面に結合される、ピストンアセンブリ。
【請求項２】
前記床の前記下側冠面と前記上面との間に前記ピストンヘッドの中心長手軸に沿って同軸上に延在する支持部材をさらに備える、請求項１に記載のピストンアセンブリ。
【請求項３】
前記ピストンヘッドの中心長手軸から径方向外側に延在する複数の支持部材をさらに備え、
前記複数の支持部材は、前記床の前記下側冠面と前記上面との間に延在する、請求項１に記載のピストンアセンブリ。
【請求項４】
前記床を通って延在する開口部をさらに含み、前記開口部は、前記ピストンヘッドの中心長手軸に沿って中心に位置する、請求項３に記載のピストンアセンブリ。
【請求項５】
前記冷却空洞に延在する入口潤滑剤供給ポートと、前記ピンと正接した関係で前記冷却空洞から延在する出口潤滑剤供給ポートとをさらに含む、請求項１に記載のピストンアセンブリ。
【請求項６】
前記ピンは貫通孔を有し、前記接続ロッドは、油が前記接続ロッドを通り、前記ピンの前記貫通孔を通って流れ、前記ピン軸受面に接触するように前記貫通孔と整列された油路を有する、請求項１に記載のピストンアセンブリ。
【請求項７】
内燃機関のためのピストンであって、
上側燃焼壁を有するピストンヘッドを備え、下側冠面およびリングベルト領域が前記上側燃焼壁から垂下し、前記ピストンはさらに、上面および底面を有する床を有し、前記床は、前記リングベルト領域と径方向に整列されて前記上側燃焼壁の下方に離間され、実質的に囲まれた環状の冷却空洞が前記下側冠面および前記床と境界を接し、前記冷却空洞は、前記リングベルト領域から径方向内側に延在し、前記ピストンはさらに、
前記冷却空洞の前記床から直接垂下する一対のピンボアと、
前記床の前記下面内の前記ピンボア内および前記ピンボア間に延在するピン軸受面とを備え、
前記ピストンヘッドは頂部および底部を含み、前記頂部は、前記上側燃焼面から垂下する環状の第１の上接合面と、前記ピストンの中心長手軸に沿って前記上側燃焼面から垂下する第２の接合面とを有し、前記底部は、前記床から上方に延在する環状下接合面を含み、前記下接合面は、第１の接合継手において前記第１の上接合面に結合され、前記床の上面は、第２の接合継手において前記第２の接合面に結合される、ピストン。
【請求項８】
前記床の前記下側冠面と前記上面との間に前記ピストンヘッドの中心長手軸に沿って同軸上に延在する支持部材をさらに備える、請求項７に記載のピストン。
【請求項９】
前記ピストンヘッドの中心長手軸から径方向外側に延在する複数の支持部材をさらに備え、
前記複数の支持部材は、前記床の前記下側冠面と前記上面との間に延在する、請求項７に記載のピストン。
【請求項１０】
前記床を通って延在する開口部をさらに含み、前記開口部は、前記ピストンヘッドの中心長手軸に沿って中心に位置する、請求項９に記載のピストン。
【請求項１１】
内燃機関のためのピストンアセンブリを構成する方法であって、
上側燃焼壁を有するピストンヘッドの頂部を形成することを含み、下側冠面およびリングベルト領域が前記上側燃焼壁から垂下し、前記方法はさらに、
床を有する前記ピストンヘッドの底部と、前記床から直接垂下するピンボアを有する一対のピンボスとを形成することと、
前記リングベルト領域と径方向に整列されて前記上側燃焼壁の下方に離間された前記床とともに前記頂部を前記底部に接合することとを含み、実質的に囲まれた環状の冷却空洞が前記下側冠面および前記床と境界を接し、前記方法はさらに、
前記床の前記下面内の前記ピンボア内および前記ピンボア間に延在するピン軸受面を形成することと、
前記ピンボア内に振動収容されるようにピンを挿入することと、
接続ロッドの端部を、前記ピンと連帯振動するように前記ピンに直接固定することとを含む、方法。
【請求項１２】
前記床の前記下側冠面と前記上面との間に前記ピストンヘッドの中心長手軸に沿って同軸上に延在する支持部材を形成することをさらに含む、請求項１１に記載の方法。
【請求項１３】
前記ピストンヘッドの中心長手軸から径方向外側に延在する複数の支持部材を形成することをさらに含み、
前記複数の支持部材は、前記床の前記下側冠面と前記上面との間に延在する、請求項１１に記載の方法。
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
イニシエータネットワークインタフェースユニットであって、
要求を伴ってトランザクション識別子信号を受け取る第１のチャネルと、そして、
応答を伴って前記トランザクション識別子信号を提供する第２のチャネルと、
を備える、上記イニシエータネットワークインタフェースユニット。
【請求項２】
要求パケットヘッダのフィールドに、前記要求を伴って受け取られた前記トランザクション識別子信号をマップする、請求項１に記載のイニシエータネットワークインタフェースユニット。
【請求項３】
前記応答を伴って提供された前記トランザクション識別子信号に、応答パケットヘッダのフィールドをマップする、請求項１に記載のイニシエータネットワークインタフェースユニット。
【請求項４】
前記マップする機能は、ダイレクトコピーである、請求項３に記載のイニシエータネットワークインタフェースユニット。
【請求項５】
前記トランザクション識別子信号の値は、パケットヘッダフィールドにマップされる、請求項１に記載のイニシエータネットワークインタフェースユニット。
【請求項６】
前記第２のチャネルに動作可能に接続されるリオーダバッファを備える、請求項１に記載のイニシエータネットワークインタフェースユニット。
【請求項７】
ターゲットネットワークインタフェースユニットであって、一意的なコンテクストアレイエントリに応答を再び関連付けるためにトランザクション識別子信号を使用するコンテクストアレイを備える、上記ターゲットネットワークインタフェースユニット。
【請求項８】
前記トランザクション識別子信号の値は、前記コンテクストアレイの中にインデックスを形成する、請求項７に記載のターゲットネットワークインタフェースユニット。
【請求項９】
前記トランザクション識別子信号は、いくつかの保留中のトランザクションの、端数を切り上げられた、基礎となる２つの対数と少なくとも同数のビットを有する、請求項１または請求項７に記載のネットワークインタフェースユニット。
【請求項１０】
いくつかの保留中のトランザクションは、前記トランザクション識別子信号の一意的な値を有する、請求項１または請求項７に記載のネットワークインタフェースユニット。
【請求項１１】
オン−チップ相互接続であって、
チップ上のアップストリームネットワークと、
チップ上の前記アップストリームネットワーク内の請求項１に記載されている第１のイニシエータネットワークインタフェースユニットと、
チップ上の前記アップストリームネットワーク内の請求項７に記載されている第１のターゲットネットワークインタフェースユニットと、
前記第１のイニシエータネットワークインタフェースユニットのアドレススペース内の前記第１のターゲットネットワークインタフェースユニットの第１のアドレスマッピングと、
チップ上のダウンストリームネットワークと、
前記第１のターゲットネットワークインタフェースユニットに動作可能に結合されるチップ上の前記ダウンストリームネットワーク内の請求項１に記載されている第２のイニシエータネットワークインタフェースユニットと、
チップ上の前記ダウンストリームネットワーク内の請求項７に記載されている第２のターゲットネットワークインタフェースユニットと、
前記第２のイニシエータネットワークインタフェースユニットのアドレススペース内の前記第２のターゲットネットワークインタフェースユニットの第２のアドレスマッピングと、そして、
前記第２のアドレスマッピングにしたがってパケットを分割する前記第１のイニシエータネットワークインタフェースユニット内のパケット分割ユニットと、
を備える上記オン−チップ相互接続。
【請求項１２】
ネットワーク−オン−チップのターゲットネットワークインタフェースユニット内のコンテクストを管理する方法であって、
コンテクストアレイエントリを割り当てることと、
トランザクション要求を伴って要求トランザクションコンテクストアレイエントリ識別子を含む前記トランザクション要求を発行することと、
トランザクション応答識別子を伴ってトランザクション応答を受け取ることと、そして、
前記コンテクストアレイエントリをルックアップするために前記応答アレイ識別子を使用することと、
のステップを備える、上記方法。
【請求項１３】
ネットワーク−オン−チップの構成を介してトランザクションをトランスポートする方法であって、
チップ上の第１のネットワークにおける請求項７に記載されている第１のターゲットネットワークインタフェースユニットにおける第１のコンテクストアレイの第１のエントリにトランザクション応答を再び関連付けることと、
前記第１のエントリからパケットヘッダのエコーフィールドをマッピングすることと、
前記パケットヘッダの前記エコーフィールドからトランザクション識別子信号をマッピングすることと、そして、
チップ上の第２のネットワークの請求項７に記載されている第２のターゲットネットワークインタフェースユニットにおける第２のコンテクストアレイの第２のエントリの中にインデックスを付けるために前記トランザクション識別子信号の値を使用することと、
を備える、上記方法。
【請求項１４】
第１のネットワーク−オン−チップおよび第２のネットワーク−オン−チップ間で通信する方法であって、トランザクション識別子信号をアサートすることを備える、上記方法。
【請求項１５】
オン−チップ相互接続のためのシステムであって、
請求項７に記載されているターゲットネットワークインタフェースユニットと、そして、
前記ターゲットネットワークインタフェースユニット内のコンテクストアレイと、
を備える、チップ上のアップストリームネットワークと、ならびに、
チップ上の前記アップストリームネットワークに動作可能に接続されるチップ上のダウンストリームネットワークと、チップ上の前記ダウンストリームネットワークは、チップ上の前記アップストリームネットワークの前記ターゲットネットワークインタフェースユニットに結合される請求項１に記載されているイニシエータネットワークインタフェースユニットを備える、ならびに、
チップ上の前記アップストリームネットワークによって発生されるトランザクションＩＤ信号と、ここにおいて、前記トランザクションＩＤ信号は、パケットヘッダのエコーフィールドにマップされる、
を備える、上記システム。
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
２５μｍ〜２５０μｍの間のサイズを有するマイクロサイズの複数のファセットを有する第１表面を含む光学装置であって、各ファセットはそれぞれの配向を有し、前記複数のファセットは、前記それぞれの配向全ての平均配向に対する法線ベクトルと平行に延びる光軸を有する光学装置において、
前記光学装置は、前記複数のファセットのうちの、ファセットのサブセットを形成する有意のパターンを含み、前記サブセットの全てのファセットは、同じ傾斜角α及び方位角φの本質的に等しい配向か、同様の色か、同様のマーク付けされた艶消し、引っ掻き若しくはリブ付きの表面か、又は隣接するファセットとの同様の離間を相互に少なくとも有し、前記有意のパターンは前記光学装置の前記第１表面に設けられることを特徴とする、
光学装置。
【請求項２】
前記サブセット内のファセットの数は、前記複数のファセットのうちの１％〜１５％の間であることを特徴とする、請求項１に記載の光学装置。
【請求項３】
ファセットの各グループが、前記光学装置の動作中、表示されるパターンのサブパターンを表示し、前記光学装置上のファセットのそれぞれのグループの相対位置は、前記表示されるパターン内のそれぞれの関連付けられたサブパターンの相対位置と本質的に等しいことを特徴とする、請求項１又は２に記載の光学装置。
【請求項４】
好ましくはフォイル又は板から、一体に製作されることを特徴とする、請求項１又は２に記載の光学装置。
【請求項５】
少なくとも１つの請求項１乃至４の何れか一項に記載の光学装置を含む、レンズ。
【請求項６】
少なくとも１つの光源と、少なくとも１つの請求項１乃至４の何れか一項に記載の光学装置又は請求項５に記載のレンズとを含む、照明装置。
【請求項７】
ランプ／反射器ユニット、自動車ヘッドライト、発光体、表示装置、又は一次光学系として少なくとも１つの前記光学装置若しくは前記レンズを備えるＬＥＤ及び／若しくはＬＥＤダイであることを特徴とする、請求項６に記載の照明装置。
【請求項８】
動作中、前記光源は点光源又は平行光ビームの発生器としての働きをすることを特徴とする、請求項６に記載の照明装置。
【請求項９】
複数の請求項６乃至８の何れか一項に記載の照明装置と、少なくとも１つの請求項１乃至４の何れか一項に記載の光学装置又は請求項５に記載のレンズとを含む、システム。
【請求項１０】
（１）所望の有意のパターンと表示されるべきパターンとを選択するステップと、
（２）前記表示されるべきパターンを特定のサブパターン位置にあるサブパターンへと分割するステップと、
（３）前記表示されるべきパターンを形成し、前記光学装置の前記第１表面に透かし模様を形成するために、前記サブパターン位置にビームの一部分を向ける又は方向転換させるためのグループ光軸を含む、ファセットのグループ及びファセットのための構成を決定するステップと、
（４）決定された前記構成に従って、複数のファセットを生成するステップと、
を含む、請求項１に記載の光学装置又は請求項５に記載のレンズを製作する方法。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
液体サンプル中の標的分析物を検出するバイオセンサーであって、少なくとも第１のチャンバーと第２のチャンバーとを備え、前記第１のチャンバーと前記第２のチャンバーとは、流体連通し、前記第１のチャンバーは、プローブ種を含み、前記プローブ種は、前記第１のチャンバー内でリンカーにより保持され、前記標的分析物は、前記リンカーを開裂させて前記プローブ種を前記第１のチャンバー内の前記液体サンプル中に遊離させることができ、遊離プローブ種を含む前記液体サンプルが、前記第１のチャンバーから前記第２のチャンバーに移動するように構成され、前記遊離プローブ種は、前記第２のチャンバー内で検出機構により検出される、バイオセンサー。
【請求項２】
前記リンカーが、前記第１のチャンバーの内面に結合している、請求項１に記載のバイオセンサー。
【請求項３】
前記リンカーが、分離した支持体に結合している、請求項１に記載のバイオセンサー。
【請求項４】
前記分離した支持体が、ビーズを含む、請求項３に記載のバイオセンサー。
【請求項５】
前記ビーズが、磁気を帯びている、請求項４に記載のバイオセンサー。
【請求項６】
前記標的分析物が、酵素を含む、請求項１に記載のバイオセンサー。
【請求項７】
前記標的分析物が、キモトリプシン、ペプシン、パパイン、イソペプチダーゼ、トロンビン、ラクターゼ、マルターゼ、スクラーゼ、アミラーゼ、パッパリシン−２、リゾチーム、プロテアーゼ、及びマトリックスメタロプロテイナーゼからなる群から選択される少なくとも１つの酵素を含む、請求項６に記載のバイオセンサー。
【請求項８】
前記プローブ種が、光学的に活性な分子、酵素、及び電気的に活性な分子を含む、請求項１に記載のバイオセンサー。
【請求項９】
前記遊離プローブ種が、検出反応を起こす酵素を含み、前記検出反応が、反応生成物を生成し、前記反応生成物が、前記検出機構により検出される、請求項１に記載のバイオセンサー。
【請求項１０】
前記検出機構が、反射分光法、透過分光法、蛍光分析法、比濁法、化学発光顕微鏡検査法、電量分析法、電流測定法、電位差測定法からなる群から選択される１つの機構を含む、請求項１に記載のバイオセンサー。
【請求項１１】
充填チャンバーをさらに備え、前記充填チャンバーが、前記第１のチャンバーと流体連通している、請求項１に記載のバイオセンサー。
【請求項１２】
前記液体サンプルが毛管作用により移動するように構成されている、請求項１に記載のバイオセンサー。
【請求項１３】
アクティベーションするや否や、前記液体サンプルが、前記第１のチャンバーから前記第２のチャンバーに移動するように構成されている、請求項１に記載のバイオセンサー。
【請求項１４】
前記第１のチャンバーが、第１の高さを有し、前記第２のチャンバーが、第２の高さを有し、前記第２の高さが、前記第１の高さよりも低く、前記アクティベーションが、前記第２のチャンバーの遠位端部に位置する通気口を開口させることを含む、請求項１３に記載のバイオセンサー。
【請求項１５】
前記第２のチャンバーが、２つ以上の電極を備える、請求項１に記載のバイオセンサー。
【請求項１６】
請求項１に記載のバイオセンサー及びメーターを備える、液体サンプル中の標的分析物を検出するシステム。
【請求項１７】
バイオセンサーを用いて液体サンプル中の標的分析物を検出する方法であって、前記バイオセンサーは、第１のチャンバーと第２のチャンバーとを備え、前記第１のチャンバーは、プローブ種を含み、前記プローブ種は、前記第１のチャンバー内でリンカーにより保持され、前記標的分析物は、前記リンカーを開裂させて前記プローブ種を遊離させることができ、前記方法は、
前記液体サンプルを提供することと、
前記液体サンプルが、前記バイオセンサーの前記第１のチャンバー内に留まり、反応した液体サンプルの生成を可能にすることと、
前記反応した液体サンプルを前記バイオセンサーの前記第２のチャンバーに進行させることと、
前記バイオセンサーの前記第２のチャンバー内で検出可能なシグナルを測定することと
を含み、
前記検出可能なシグナルが、前記液体サンプル中の前記標的分析物の存在及び／又は量を示す、方法。